(57)【要約】【課題】店員は、電源のＯＮ、ＯＦＦを意識することなく、ＰＯＳ端末を利用できる。【解決手段】実施形態の商品販売データ処理装置は、受付手段と、停止手段と、起動手段と、を備える。受付手段は、日単位で締めに行われる日計精算処理の際に、翌日に自装置を自動的に起動する時刻情報の設定を受け付ける。停止手段は、日計精算処理の終了と共に自動的に電源を停止させる。起動手段は、停止手段により前記電源を停止させた後、受付手段が設定を受け付けた時刻情報に従って自装置を起動させる。【選択図】図２
2014032548.tif 000002
【特許請求の範囲】
【請求項１】
日単位で締めに行われる日計精算処理の際に、翌日に自装置を自動的に起動する時刻情報の設定を受け付ける受付手段と、
前記日計精算処理の終了と共に自動的に電源を停止させる停止手段と、
前記停止手段により前記電源を停止させた後、前記受付手段が設定を受け付けた時刻情報に従って前記自装置を起動させる起動手段と、
を備える商品販売データ処理装置。
【請求項２】
前記日計精算処理を行うための画面に、前記時刻情報が示された日計精算画面を表示する表示手段をさらに備え、
前記受付手段は、前記日計精算画面が表示されている場合に、前記時刻情報の設定要求を受け付け、
前記表示手段は、前記受付手段が前記時刻情報の設定要求を受け付けた場合に、前記時刻情報を設定する設定画面を表示する、
請求項１に記載の商品販売データ処理装置。
【請求項３】
前記起動手段は、前記商品販売データ処理装置が停止状態の時に、前記電源から待機電力が供給されている、
請求項１又は２に記載の商品販売データ処理装置。
【請求項４】
日単位で締めに行われる日計精算処理を行うための日計精算画面に、翌日に自装置を自動的に起動させる時刻情報を表示する表示手段と、
前記時刻情報の設定を受け付ける受付手段と、を備え、
前記表示手段は、前記受付手段が前記時刻情報の設定を受け付けた場合に、前記時刻情報を設定する設定画面を表示する、
商品販売データ処理装置。
【請求項５】
前記日計精算画面に従った精算処理の終了と共に自動的に電源を停止させる停止手段と、
前記停止手段により前記電源を停止させた後、前記設定画面で設定された前記時刻情報に従って電源を起動させる起動手段と、
をさらに備える請求項４に記載の商品販売データ処理装置。
【請求項６】
日単位で締めに行われる日計精算処理の際に、翌日に自装置を自動的に起動する時刻情報の設定を受け付ける受付ステップと、
前記日計精算処理の終了と共に自動的に電源を停止させる停止ステップと、
前記停止ステップにより前記電源を停止させた後、前記受付ステップが設定を受け付けた時刻情報に従って前記自装置を起動させる起動ステップと、
をコンピュータに実行させるための商品販売データ処理プログラム。
【発明の詳細な説明】
【技術分野】
【０００１】
本発明の実施形態は、商品販売データ処理装置、及び商品販売データ処理プログラムに関する。
【背景技術】
【０００２】
従来の店舗に設けられたＰＯＳ端末では、一日のお金の流れを締める日計精算処理が終了した後に電源をオフにし、次の日の開店する前に電源をオンにしていた。
【０００３】
従来技術においては、日単位で締めに行われる日計精算処理が終了した後に自動的に電源がオフになるＰＯＳ端末が提案されている。日計精算処理の後に電源が自動的にオフになるため、電源をオフにすることを店員は考慮する必要がない。
【発明の概要】
【発明が解決しようとする課題】
【０００４】
しかしながら、店員は電源をオフにすることを考慮する必要がなくとも、翌日の開店時には、ＰＯＳ端末の電源をオンにする必要がある。ＰＯＳ端末は、電源をオンにしてから立ち上がるまでに時間がかかるという問題がある。
【０００５】
ところで、ＰＯＳ端末では、上記に示したように、電源をオフにする前に、毎日必ず日計精算処理が行われている。そこで、毎日確認できるように、日計精算処理時に、次の日の開店前に電源をオンにする設定を可能にすることが期待されている。
【課題を解決するための手段】
【０００６】
実施形態の商品販売データ処理装置は、受付手段と、停止手段と、起動手段と、を備える。受付手段は、日単位で締めに行われる日計精算処理の際に、翌日に自装置を自動的に起動する時刻情報の設定を受け付ける。停止手段は、日計精算処理の終了と共に自動的に電源を停止させる。起動手段は、停止手段により前記電源を停止させた後、受付手段が設定を受け付けた時刻情報に従って自装置を起動させる。
【図面の簡単な説明】
【０００７】
【図１】図１は、実施形態のＰＯＳ端末の外観を概略的に示した斜視図である。
【図２】図２は、実施形態のＰＯＳ端末の機能構成を示すブロック図である。
【図３】図３は、実施形態の表示部が表示する日計精算画面の第１の例を示した図である。
【図４】図４は、実施形態の表示部が表示する日計精算画面の第２の例を示した図である。
【図５】図５は、実施形態の表示部が表示する自動起動設定画面の第１の例を示した図である。
【図６】図６は、実施形態の表示部が表示する自動起動設定画面の第２の例を示した図である。
【図７】図７は、実施形態にかかるＰＯＳ端末における日計精算処理から自動起動処理までの手順を示すフローチャートである。
【発明を実施するための形態】
【０００８】
以下、添付図面を参照して、商品販売データ処理装置、及び商品販売データ処理プログラムの実施形態を説明する。本実施形態では、スーパーマーケット等の店舗で使用されるＰＯＳ端末１に商品販売データ処理装置を適用する場合について説明する。
【０００９】
図１は、本実施形態のＰＯＳ端末１の外観を概略的に示した斜視図である。ＰＯＳ端末１は、ドロワ２、モードキー３、キーボード４、スキャナ５、プリンタ６、店員用ディスプレイ７、および客用ディスプレイ８を備えている。
【００１０】
ドロワ２は、引出し２ａを備える筐体で、ＰＯＳ端末１の最下部に設けられており、現金等を収容するものである。モードキー３は、ＰＯＳ端末１の正面側に設けられており、登録、点検、精算、設定等の各種業務モードの選択を受け付ける。
【００１１】
キーボード４は、ＰＯＳ端末１の正面に設けられており、店員（オペレータ）からの操作を受け付ける。キーボード４には、例えば預り金額等を入力するための置数キーや、販売登録が行われた商品の合計出力を指示するための小計キーや、販売登録を終了してレシートの発行処理を行うための会計キー等、各種操作入力を行うための操作キーが配置されている。スキャナ５は、商品に付与されたバーコードや二次元コード等のコードシンボルを読み取る。
【００１２】
プリンタ６は、レシート、ジャーナルやクーポン等を印刷する。プリンタ６は、ＰＯＳ端末１の正面側に形成されたレシート発行口６ａを有し、このレシート発行口６ａからレシートやサービス券などの印刷物を排紙する。サービス券とは、客に対して発券されるもので、特典と引き換え可能なものである。客は、店舗または系列店で商品を購入する場合に当該サービス券を利用できる。
【００１３】
店員用ディスプレイ７はＰＯＳ端末１の正面側に設けられており、客用ディスプレイ８はＰＯＳ端末１の背面側に設けられている。店員用ディスプレイ７および客用ディスプレイ８は、液晶カラーディスプレイ等により実現されており、販売登録された商品の品名、価格、販売登録の終了が宣言された取引の合計金額、釣銭額等を表示する。
【００１４】
図２は、ＰＯＳ端末１の機能構成を示すブロック図である。ＰＯＳ端末１は、キーボード４、スキャナ５、プリンタ６、店員用ディスプレイ７、客用ディスプレイ８、電源９、制御部１１、バス１２、Ｉ／Ｏ機器制御部１３、通信Ｉ／Ｆ１４、ＨＤＤ１５、ＢＩＯＳ１６、及び時計部１７を備えている。
【００１５】
電源９は、ＰＯＳ端末１の各構成に対して電力を供給する。電源がＯＮの場合に、電源９は、ＰＯＳ端末１に含まれている全ての構成に対して電力を供給する。また、電源がＯＦＦの場合、電源９は、待機電力により、ＰＯＳ端末１を起動するために必要な構成（例えば制御部１１の一部や時計部１７など）に対して電力を供給する。時計部１７は、制御部１１と独立した時刻を計測するモジュールとする。
【００１６】
制御部１１は、ＣＰＵ（Central  Processing  Unit）、ＲＯＭ（Read  Only  Memory）およびＲＡＭ（Random  Access  Memory）（いずれも不図示）等から構成される。ＲＯＭは、ＣＰＵが実行する各種プログラムや各種データを記憶するものである。ＲＡＭは、ＣＰＵが各種プログラムを実行する際に一時的にデータやプログラムを記憶するものであり、販売登録された商品の記録である販売データや、店員用ディスプレイ７や客用ディスプレイ８に表示する各種の画面表示データを記憶する。
【００１７】
そして、制御部１１は、バス１２およびＩ／Ｏ機器制御部１３を介して、キーボード４、スキャナ５、プリンタ６、店員用ディスプレイ７、客用ディスプレイ８、電源９、ＨＤＤ１５等のＩ／Ｏ機器を制御し、ＰＯＳ端末１のシステム全体を制御する。
【００１８】
また、制御部１１は、通信Ｉ／Ｆ１４を介してＬＡＮ（Local  Area  Network）で接続されたストアサーバ（不図示）と相互に通信を行うことが可能となっている。本実施形態のＰＯＳ端末１は、１台のＰＯＳ端末１が単独で商品登録および商品販売登録等を行ってもよいし、店舗内に複数のＰＯＳ端末１が設置される場合には、これら複数のＰＯＳ端末１をストアサーバに接続して、商品登録および商品登録等の処理を一括して管理するように構成してもよい。
【００１９】
ここで、制御部１１は、電源ＯＮ時に、制御プログラムに従うことにより、表示部１１ａと、受付部１１ｂと、精算部１１ｃと、停止部１１ｄと、を実現する。
【００２０】
表示部１１ａは、店員用ディスプレイ７、及び客用ディスプレイ８の少なくとも一つ以上に対して、様々な画面を表示する。例えば、表示部１１ａは、日単位で締めに行われる日計精算処理の際に、店員用ディスプレイ７に対して、日計精算画面を表示する。
【００２１】
図３は、表示部１１ａが表示する日計精算画面の第１の例を示した図である。図３に示す様に、表示部１１ａが表示する日計精算画面には、日単位でお金の流れを締める日計精算処理を行うための様々な項目が表示されている。これら項目の中には、“次回自動起動”項目３０１が含まれている。“次回自動起動”項目３０１は、翌日に、設定された時刻にＰＯＳ端末１を自動起動させるか否かを設定する項目とする。
【００２２】
図３に示す例では、自動起動“しない”３０２と設定されている。このため、翌日ＰＯＳ端末１の自動起動は行われない。また、変更ボタン３０３が押下された、換言すればＰＯＳ端末１の自動起動時刻の設定要求を受け付けた場合には、“次回自動起動”項目３０１の設定を変更することができる。
【００２３】
図４は、表示部１１ａが表示する日計精算画面の第２の例を示した図である。図４に示す例においても、日計精算画面において、“次回自動起動”項目３０１が含まれている。
【００２４】
図４に示す例は、“次回自動起動”を利用する場合であり、次に自動起動する時間である“2012年01月12日(木)09:00”４０１が設定されている。このため、翌日（2012年01月12日(木)）の９時にＰＯＳ端末１の自動起動が開始される。当然ながら、変更ボタン３０３が押下された場合には、“次回自動起動”項目３０１の設定を変更することができる。
【００２５】
受付部１１ｂは、キーボード４等を介して、店員からの操作を受け付ける。例えば、受付部１１ｂは、図３や図４に示す日計精算画面が表示されている場合に、翌日に自動起動させる時刻を設定するための変更ボタン３０３の押下を受け付ける。受付部１１ｂが変更ボタン３０３の押下を受け付けた場合に、表示部１１ａが表示する自動起動設定画面について説明する。
【００２６】
図５は、表示部１１ａが表示する自動起動設定画面の第１の例を示した図である。自動起動設定画面は、図３及び図４の変更ボタン３０３の押下を受け付けた場合、換言すればＰＯＳ端末１の自動起動時刻の設定要求を受け付けた場合に表示する画面である。そして、自動起動設定画面は、ＰＯＳ端末１を翌日自動起動させるのか否かの有無と、翌日自動起動させる場合に、自動起動させる時刻情報と、を設定可能とする。
【００２７】
図５に示す例においては、受付部１１ｂが、“次回自動起動”項目５０６で、“しない”５０１及び“する”５０２のうちいずれか一方の選択を受け付ける。図５に示す例では、“しない”５０１の選択を受け付けているものとする。この場合、翌日にＰＯＳ端末１の自動起動は行われないため、次回起動日時は、空欄５０３となる。なお、数字キー５０５は、次回起動時刻を設定する場合に用いられる。また、受付部１１ｂが、終了ボタン５０４の押下を受け付けた際に、“しない”５０１が選択されているのであれば、図３に示す日計精算画面に遷移する。
【００２８】
図６は、表示部１１ａが表示する自動起動設定画面の第２の例を示した図である。図６に示す例においては、受付部１１ｂが、“次回自動起動”項目５０６で、“する”６０２及び“しない”６０１のうち、“する”６０２の選択を受け付けている。
【００２９】
そして、この場合、翌日にＰＯＳ端末１の自動起動が行われるため、翌日(2012年1月12日)が、自動起動する日付として自動的に欄６０３に設定される。さらに、受付部１１ｂが、数字キー５０５を介して、時刻欄６０４に対する、起動時刻情報の設定を受け付ける。その後、受付部１１ｂが、確認ボタン６０６の押下を受け付けた場合に、受け付けた次回自動起動の選択の有無、及び時刻情報の設定が行われる。
【００３０】
そして、受付部１１ｂが、終了ボタン６０７の押下を受け付けた際に、“する”６０２が選択されているのであれば、図４に示す日計精算画面に遷移する。
【００３１】
精算部１１ｃは、日計精算を行う。
【００３２】
停止部１１ｄは、精算部１１ｃによる日計精算処理の終了と共に、ＰＯＳ端末１を自動的に、電源停止させる。
【００３３】
また、ＢＩＯＳ−ＲＯＭ１６は、ＢＩＯＳプログラム等を格納するための記憶手段とする。そして、ＢＩＯＳ−ＲＯＭ１６は、ＢＩＯＳプログラムの一部である起動部１６ａと、時刻保持部１６ｂと、を備えている。
【００３４】
時刻保持部１６ｂは、ＰＯＳ端末１を起動させるための自動起動させる起動時刻情報を保持する。さらに、時刻保持部１６ｂは、ＰＯＳ端末１を起動させるか否かのフラグも保持する。時刻保持部１６ｂには、図６に示す自動起動設定画面において、受付部１１ｂが設定を受け付けた起動時刻情報及びフラグが書き込まれる。また、起動時刻情報は、起動させる日時が含まれていても良いし、日時を含まなくともよい。日時を含んでいない場合、毎日同じ時刻に起動する。
【００３５】
このように、本実施形態にかかるＰＯＳ端末１では、日計精算処理の際に、ＡＰＳ（Auto  Power  Supply）で、時刻保持部１６ｂに対して翌日の起動時刻情報を設定し、自動電源切断することで、翌日の自動起動時刻になるまで電源９がＯＦＦの状態となる。
【００３６】
起動部１６ａは、停止部１１ｄにより電源を停止させた後、ＰＯＳ端末１の電源９がＯＦＦとなった際に、待機電力が供給されている制御部１１に読み込まれるモジュールである。本実施形態にかかる起動部１６ａは、時計部１７の時刻情報と、時刻保持部１６ｂに保持された起動時刻情報と、に従って、ＰＯＳ端末１を起動させる。
【００３７】
これにより、制御部１１は、起動部１６ａを読み込んだ後、時刻保持部１６ｂに保持された起動時刻情報が指し示す時刻と、時計部１７が指し示す時刻と、が一致した時に、電源９に対して、電源ＯＮにするための信号を出力する。これにより、ＰＯＳ端末１が起動する。
【００３８】
次に、本実施形態にかかるＰＯＳ端末１における、日計精算処理から自動起動処理について説明する。図７は、本実施形態にかかるＰＯＳ端末１における上述した処理の手順を示すフローチャートである。
【００３９】
まず、ＰＯＳ端末１の受付部１１ｂが、日計精算処理する旨の選択を受け付けた場合に、精算部１１ｃが、日計精算処理を開始する（ステップＳ７０１）。
【００４０】
次に、表示部１１ａが、時刻保持部１６ｂを参照し、自動起動の設定があるか否かを確認する（ステップＳ７０２）。自動起動の設定があることを確認した場合（ステップＳ７０２：Ｙｅｓ）、自動起動する時刻が示された日計精算画面を表示する（ステップＳ７０３）。このステップＳ７０３で表示される日計精算画面は、図４に示した画面例等とする。
【００４１】
その後、受付部１１ｂが、項目“次回自動起動”３０１における変更ボタン３０３の押下を受け付けたか否かを判定する（ステップＳ７０４）。変更ボタン３０３の押下を受け付けた場合（ステップＳ７０４：Ｙｅｓ）、ステップＳ７０７の処理に遷移する。なお、変更ボタン３０３の押下を受け付けなかった場合（ステップＳ７０４：Ｎｏ）、ステップＳ７１１の処理に遷移する。
【００４２】
一方、ステップＳ７０２において、表示部１１ａが、自動起動の設定がないことを確認した場合（ステップＳ７０２：Ｎｏ）、自動起動しない旨が示された日計精算画面を表示する（ステップＳ７０５）。このステップＳ７０５で表示される日計精算画面は、図３に示した画面例等とする。
【００４３】
その後、受付部１１ｂが、項目“次回自動起動”３０１における変更ボタン３０３の押下を受け付けたか否かを判定する（ステップＳ７０６）。変更ボタン３０３の押下を受け付けた場合（ステップＳ７０６：Ｙｅｓ）、ステップＳ７０７の処理に遷移する。なお、変更ボタン３０３の押下を受け付けなかった場合（ステップＳ７０６：Ｎｏ）、ステップＳ７０９の処理に遷移する。
【００４４】
そして、変更ボタン３０３の押下を受け付けた場合（ステップＳ７０６：Ｙｅｓ、ステップＳ７０４：Ｙｅｓ）、表示部１１ａが、自動起動設定画面を表示する（ステップＳ７０７）。当該画面では、受付部１１ｂが、自動起動するか否かの設定、及び自動起動時刻の設定を受け付ける。その後、受付部１１ｂが、受け付けた自動起動設定（自動起動の有無、及び自動起動時刻）を、時刻保持部１６ｂに保存する（ステップＳ７０８）。その後、ステップＳ７０２から開始する。
【００４５】
一方、ステップＳ７０６において、変更ボタン３０３の押下を受け付けなかった場合（ステップＳ７０６：Ｎｏ）、精算部１１ｃが、日計精算処理を行う（ステップＳ７０９）。そして、日計精算処理が終了したことをトリガーとして、停止部１１ｄが、日計精算処理が終了と共に、ＰＯＳ端末１の電源９をＯＦＦにし、処理を終了する（ステップＳ７１０）。
【００４６】
一方、ステップＳ７０４において、変更ボタン３０３の押下を受け付けなかった場合（ステップＳ７０４：Ｎｏ）、精算部１１ｃが、日計精算処理を行う（ステップＳ７１１）。
【００４７】
日計精算処理と並行して、制御部１１が、時刻保持部１６ｂに保持された起動時刻情報に従って自動起動するための設定を行う（ステップＳ７１２）。
【００４８】
そして、日計精算処理が終了したことをトリガーとして、停止部１１ｄが、日計精算処理が終了と共に、ＰＯＳ端末１の電源９をＯＦＦにする（ステップＳ７１３）。
【００４９】
その後、制御部１１に読み込まれた起動部１６ａが、時刻保持部１６ｂに保持された自動起動時刻と、時計部１７が計測した時刻が一致するか否かを判定する（ステップＳ７１４）。時刻が一致しないと判定した場合（ステップＳ７１４：Ｎｏ）、再びステップＳ７１４から処理を行う。
【００５０】
そして、起動部１６ａが、時刻が一致したと判定した場合（ステップＳ７１４：Ｙｅｓ）、電源９に対してＯＮにする信号を出力し、ＰＯＳ端末１の自動起動を開始する（ステップＳ７１５）。
【００５１】
上述した処理手順により、ＰＯＳ端末１を自動的に起動させることが可能となる。
【００５２】
（変形例）
上述した実施形態においては、時刻保持部１６ｂに保持された起動時刻からＰＯＳ端末１が起動する例について説明した。
【００５３】
しかしながら、一般的にＰＯＳ端末は起動するまで時間が掛かるため、起動時刻と利用開始時刻があまり変わらないと、利用開始時刻にはＰＯＳ端末が起動していない可能性がある。そこで、変形例にかかるＰＯＳ端末では、設定した時刻前に起動を開始するよう制御する例とする。この場合、設定した時刻にＰＯＳ端末がすでに立ちあがっているため、店員は所望する時刻から利用することが可能となり、利便性が向上する。
【００５４】
上述した実施形態及び変形例にかかるＰＯＳ端末では、日計精算画面で翌日に自動起動させる設定を行う例について説明した。日計精算処理は、毎日行う処理であるため、日計精算画面で設定を行うことで、翌日に確実にＰＯＳ端末を自動起動させることが可能となる。
【００５５】
つまり、従来、ＰＯＳ端末は電源が立ちあがるまで時間を要していた。このため、翌日店員がＰＯＳ端末を起動させた場合に、ＰＯＳ端末が起動するまでに不要な待機時間が生じていた。
【００５６】
これに対して実施形態及び変形例にかかるＰＯＳ端末においては、毎日必ず行われる日計精算処理時に自動機能の設定を可能とすることで、翌日に起動させるか否かの設定を確実に実行することができる。これにより、翌日にＰＯＳ端末を利用する店員を待たせずにすむため、利便性を向上できる。
【００５７】
また、上述した実施形態及び変形例では、ＰＯＳ端末を終了させても、翌日確実に起動する。
【００５８】
また、従来は、翌日にすぐに利用したい場合には、前日にＰＯＳ端末を終了せずに待機させるという運用が図られていた場合もあった。しかしながら、上述した実施形態及び変形例では、ＰＯＳ端末を終了させても、翌日確実に起動するため、翌日にすぐに利用したい場合でも、ＰＯＳ端末を終了させることができる。これにより、利用する電力を抑制する（省電力を図る）ことが可能となる。
【００５９】
また、これに対して実施形態及び変形例にかかるＰＯＳ端末においては、日計精算処理が終了した後、自動的に電源がＯＦＦになる。そして、次の日には、電源が自動的にＯＮになる。このため、店員は、電源のＯＮ、ＯＦＦを意識することなく、ＰＯＳ端末を利用できる。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
１…ＰＯＳ端末、２…ドロワ、３…モードキー、４…キーボード、５…スキャナ、６…プリンタ、６ａ…レシート発行口、７…店員用ディスプレイ、８…客用ディスプレイ、９…電源、１１…制御部、１１ａ…表示部、１１ｂ…受付部、１１ｃ…精算部、１１ｄ…停止部、１２…バス、１３…Ｉ／Ｏ機器制御部、１４…通信Ｉ／Ｆ、１５…ＨＤＤ、１６…ＢＩＯＳ１６、１６ａ…起動部、１６ｂ…時刻保持部、１７…時計部
【先行技術文献】
【特許文献】
【００６２】
【特許文献１】特開２００６−２２７７２９号公報
【図１】
2014032548.tif 000003
【図２】
2014032548.tif 000004
【図３】
2014032548.tif 000005
【図４】
2014032548.tif 000006
【図５】
2014032548.tif 000007
【図６】
2014032548.tif 000008
【図７】
2014032548.tif 000009